(57)【要約】【課題】利用者が公園に直接行かずに現在の公園の状況を知る。【解決手段】利用者端末１から、公園の情報を入力し利用者へ情報を送信可能な情報装置２に対しアクセスを行う。情報装置２は、利用者端末１に情報入力のためのフォーマットを送信し、利用者は選択したい公園の条件を入力する。情報装置２は、データベース３に登録されている情報中において変更の少ない情報を検索キーとして公園の検索処理を行う。検索された公園の候補に関するリアルタイム情報、すなわち、時間によって変化する情報を取得するため、各公園に設置されている情報取得装置４にアクセスする。公園の情報取得装置４には、温度計などのセンサが取り付けられており、これらを利用して現在の状況を取得し情報装置２に情報を送信する。情報装置２は、検索結果と、その検索結果の公園の情報を利用者端末１に送信する。【選択図】  図１
2005011091.tif 000002
【特許請求の範囲】
【請求項１】
コミュニティーエリアに関する既定情報を格納するデータベースを備えた情報装置と、
該情報装置と関連付けされ、前記コミュニティーエリアに関する現況情報を取得する情報取得装置と、
前記情報装置と関連付けされ、前記情報装置に対してコミュニティーエリアの利用希望者が提示する希望条件を送る利用者端末と、を備え、
前記情報装置が、前記既定情報及び前記現況情報と前記希望条件とに基づいて、利用者の希望するコミュニティーエリアを検索する検索手段と、検索された情報を前記利用者端末に送る送信手段と、を有していることを特徴するコミュニティーエリア情報提供システム。
【請求項２】
コミュニティーエリアの現況情報を取得する情報取得装置と関連付けされ、前記コミュニティーエリアに関する既定情報を格納するデータベースを備えた情報装置であって、
前記既定情報及び前記現況情報と前記希望条件とに基づいて、利用者の希望するコミュニティーエリアを検索する検索手段を有する情報装置と関連付けされ、地図情報を表示するとともに、前記情報装置に対してコミュニティーエリアの利用希望者が提示する希望条件に応じて前記情報装置から返信された検索結果の少なくとも一部を前記地図情報に表示することを特徴とするナビゲーションシステム。
【発明の詳細な説明】
【０００１】
【発明の属する技術分野】
本発明は、利用者が望む公園などのコミュニティーエリアの検索技術に関し、特に、コミュニティーエリアの現在の利用状況及び環境情報等を利用者に提供する技術に関する。
【０００２】
【従来の技術】
従来から、公園などのコミュニティーエリアの利用者は、地図などの情報に基づいて直接コミュニティーエリアに出向くことにより、設備や利用状況、環境情報を把握していた。公園等のコミュニティーエリアの安全性を監視するために、コミュニティーエリアに情報機器を設置して通信ネットワークを介して監視・制御するコミュニティーエリア安全監視システムなども提案されている（例えば、特許文献１参照）。
【０００３】
【特許文献１】
特開２０００−２６８２８１号公報
【０００４】
【発明が解決しようとする課題】
利用者は、利用したいコミュニティーエリア（以下「公園」と称する。）に実際に到着した時に、初めて、公園の設備、利用状況、環境情報等を知ることができる。公園に利用したい設備が無かった場合、現在の公園の混雑具合などによっては、別の公園を探す必要があり、公園で子供を遊ばせたい子供連れの親にとっては大変な労力となっていた。
【０００５】
また、公園の安全監視システムなども提案されているが、公園の選択を主眼としたものではない。
【０００６】
本発明は、公園に出向く前に、利用者が望む条件を満たす公園を検索し、現時点での利用状況を知ることにより、無駄な労力を省き、安心して公園を探索・利用することができるようにすることを目的とする。
【０００７】
【課題を解決するための手段】
本発明の一観点によれば、コミュニティーエリアに関する既定情報を格納するデータベースを備えた情報装置と、該情報装置と関連付けされ、前記コミュニティーエリアに関する現況情報を取得する情報取得装置と、前記情報装置と関連付けされ、前記情報装置に対してコミュニティーエリアの利用希望者が提示する希望条件を送る利用者端末と、を備え、前記情報装置が、前記既定情報及び前記現況情報と前記希望条件とに基づいて、利用者の希望するコミュニティーエリアを検索する検索手段と、検索された情報を前記利用者端末に送る送信手段と、を有していることを特徴するコミュニティーエリア情報提供システムが提供される。
【０００８】
上記システムでは、利用者が利用したいコミュニティーエリア情報を、簡単に取得することができる。
【０００９】
本発明の他の観点によれば、コミュニティーエリアの現況情報を取得する情報取得装置と関連付けされ、前記コミュニティーエリアに関する既定情報を格納するデータベースを備えた情報装置であって、前記既定情報及び前記現況情報と前記希望条件とに基づいて、利用者の希望するコミュニティーエリアを検索する検索手段を有する情報装置と関連付けされ、地図情報を表示するとともに、前記情報装置に対してコミュニティーエリアの利用希望者が提示する希望条件に応じて前記情報装置から返信された検索結果の少なくとも一部を前記地図情報に表示することを特徴とするナビゲーションシステムが提供される。
【００１０】
上記システムでは、利用者が利用したいコミュニティーエリアへとナビゲートすることができる。
【００１１】
【発明の実施の形態】
以下、本発明の一実施の形態によるコミュニティーエリア情報提供システムについて図面を参照して説明する。尚、以下の説明では、コミュニティーエリアとして公園を例にして説明するが、その他の施設、エリアも対象となる。
【００１２】
図１は、本実施の形態による公園情報提供システムのシステム構成例を示す図である。図１に示すように、公園情報提供システムは、その利用者側（端末）１、すなわち、インターネットに接続可能なパーソナルコンピュータ（ＰＣ）、携帯電話などの利用者端末１から、公園の情報を入力し利用者へ情報を送信可能な情報装置２に対しアクセスを行う。情報装置２は、利用者端末１に情報入力のためのフォーマットを送信することができる。利用者は、送られてきたフォーマットに基づいて、選択したい公園の条件（公園の位置情報、必須の設備、混雑状況、気象状況等の希望条件）を入力し、情報装置２に対して希望条件を送信する。情報装置２は、これと関連付けされているデータベース３に登録されている情報中において変更の少ない情報、例えば、公園の位置情報や設備情報を検索キーとして公園の検索処理を行う。データベース３には、その他、公園名称、住所、マップ、公園の特徴などの説明、開園時間などが記憶されている。
【００１３】
検索された公園の候補に関するリアルタイム情報、すなわち、時間によって変化する情報（混雑状況、気象状況、スナップショット、動画など）を取得するため、各公園に設置されている情報取得装置４にアクセスする。公園の情報取得装置４には、温度計、風力計、天候、混雑状況を感知するセンサ、カメラ、ムービーなどが取り付けており、これらの各センサを利用して、現在の混雑状況、気象状況、スナップショットを取得して、情報装置２に情報を送信する。情報装置２は、検索結果と、その検索結果の公園の情報を利用者端末１に送信する。利用者は、提供された情報に基づいて公園を選択する。
【００１４】
以下、図１〜図７までを参照して説明を続ける。図２は、利用者の公園検索処理の流れを示すフローチャート図である。利用者は、ステップ２０１において公園情報提供システムに対して利用者端末１からアクセスを行う。例えば、自宅のＰＣからインターネットを介して公園情報提供システムに対してアクセスを行う。次にステップ２０２において、公園情報提供システムは検索に必要な情報を入力するための入力画面（ユーザインターフェイス）を利用者端末１に提供し、利用者端末１においてこのような入力画面を表示させる。入力画面の表示例を図３に示す（後述）。ステップ２０３において、入力画面に従って、利用者は、使用したい公園の条件等を入力する。
【００１５】
例えば、図３に示す入力画面においては、検索対象地域の欄に検索したい公園の住所を選択する（住所の変わりに郵便番号で代用できるようにする）。公園名を直接指定できるようにしても良い。利用施設選択の欄には、利用したい公園の施設名を選択（複数選択可）し、その他の欄には、挙げられている選択肢以外で必要な施設を選択する。混雑具合の欄においては、公園の現在の混雑状況に関する利用者の希望値を選択する。この際、入り口に人間の出入りに関するカウンタを設置することで、現在、公園に入っていく人と公園から出ていく人との割合を推定することができる。天候の欄には、利用者が希望する公園の天候を選択する。風の強さの欄には、利用者が希望する公園の現在の風速を選択する。
【００１６】
その他、センサとして照度計が設けられていれば日当たりを、開園時間の制限があればその開園時間に該当するか否かを、地面の状況、公園で他のイベントが行われているか否か（例えば消防訓練が行われていれば、子供を遊ばせるには適さない場合がある）、駐車場の混雑具合なども取得することができる。
【００１７】
図３に示す表示画面への入力に基づいて送信された情報を元に、ステップ２０４、２０５において、システムが公園を検索する。この検索の方法例を、図４及び図５に示すフローチャート図を参照して説明する。ステップ４０１において、Ｓ２０３で利用者が入力した希望する公園の条件に関する情報をシステムが受信する。ステップ４０２では、利用者が入力した情報の１つである指定地域情報が、郵便番号で入力されているか否かを判定する。郵便番号で入力されていた場合は、ステップ４０３で郵便番号を住所に変換する。ステップ４０４では、入力された指定地域情報を元に、システムは、公園情報が格納されているデータベースから指定地域情報と一致する公園を検索し、検索結果一覧に該当する公園を登録する。ステップ４０５では、利用者による公園の利用施設の指定があるか否かを判定する。利用施設の指定がある場合は、検索結果一覧に登録された件数分の公園施設チェックを行う。
【００１８】
ステップ４０６において、指定された施設があるか否かを判定し、指定された施設が存在しない場合は、ステップ４０７において、該当の公園を検索結果一覧から削除する。ステップ４０８では、検索結果一覧に登録された件数分のチェックが実施されたか否かを判定して、全ての件数分のチェックが終わるまでステップ４０６、ステップ４０７の処理を繰り返す。施設のチェックが終了した後、検索結果一覧に登録されている件数分の風力や混雑状況など現在の公園情報の取得と、利用者が風力や混雑状況などの指定をしている場合に条件に満たしているか否かの判定処理を行う。ステップ５０１において、検索結果一覧に登録されている公園の情報取得を行う。ステップ５０２で公園に設置された温度計、風力計、天候、混雑状況を感知するセンサ、カメラを持つシステム装置４を利用して（この時にセンサが作動するようにしても良い）、現在の温度、風力、天候、混雑状況の情報、スナップショット、ムービーなどをシステムに送信する。
【００１９】
ステップ５０３において、利用者が指定した風力、天候、混雑状況の条件をその公園が満たしているか否かを判定する。条件を満たしていない場合は、ステップ５０４において、検索結果一覧からその公園を除外する。ステップ５０５において、検索結果一覧に登録された件数分のチェックが実施されたか否かを判定し、全ての件数分のチェックが終わるまでステップ５０１からステップ５０４までの処理を繰り返す。これにより一連の検索処理は終了する。尚、希望する条件に合致する公園が見つかった時点で、利用者に知らせ、検索を終了させても良い。
【００２０】
ステップ２０６では、前のステップでの検索結果のうち、公園名と公園の住所の一覧を利用者が使用している端末に表示させる。出力画面の一例を図６に示す。図６に示す例では、利用者が入力した条件に一致した公園は、３件リストアップされている。図６に示す例の他に、地図を表示し、該当する公園の位置を例えば点滅などにより報知することもできる。ステップ２０７において、利用者は、出力された公園一覧または地図において、詳細情報を知りたい公園を選択し、ステップ２０８においてステップ２０７で選択された公園の詳細情報を利用者が使用している利用者端末１に送信する。公園の詳細情報は、例えば、公園名、住所、利用できる施設、公園の説明、地図、現在の混雑具合、天候、温度、風速、スナップショット、ムービーなどである。
【００２１】
出力画面の内容の例を図７を挙げる。住所の欄には選択された公園の住所を出力する。施設の欄には選択された公園に存在する施設の一覧を出力する。説明の欄には選択された公園の説明、紹介文を出力する。混雑具合の欄には選択された公園で取得した現在の混雑具合を出力する。天候の欄には選択された公園で取得した現在の天候を出力する。気温の欄には選択された公園で取得した現在の気温を出力する。風速には選択された公園で取得した現在の風速を出力する。公園の地図の欄には選択された公園の地図情報を出力する。現在の公園の状況には選択された公園で取得したスナップ情報やムービーを出力する。これらの情報に基づいて、利用者は使用したい公園の検索及び情報の取得が可能である。
【００２２】
以上、本実施の形態に沿って説明したが、本発明はこれらの例に限定されるものではなく、種々の変形が可能であるのは言うまでもない。例えば、利用者端末は、カーナビゲーションシステムに組み込まれていても良い。このようにすれば、利用者は車中から地図などを見ながら公園を検索できる上に、ＧＰＳを利用して至近の公園を選択することも可能となる。また、センサは、ブランコなどの人気スポットに設置するのが好ましい。撮像装置としては、デジタルスチルカメラやムービーなどが用いられるが、特にムービーの場合には、撮影角度を変更したり回転しながら撮影したりできるのが多様な情報を連続的に取得できるため好ましい。
【００２３】
【発明の効果】
以上、説明したように、本発明の公園情報提供システムによれば、利用者が公園に直接行かなくても、事前に現在の公園の状況を知ることができ、無駄な労力が無く、安心して公園を利用することができる。
【図面の簡単な説明】
【図１】本発明の一実施の形態による公園情報提供システムの概略構成を示す図である。
【図２】本発明の一実施の形態による公園情報提供システムの流れを示すフローチャート図である。
【図３】本発明の一実施の形態による公園情報提供システムにより公園検索に必要な情報を入力するための表示画面の一例を示す図である。
【図４】本発明の一実施の形態による公園情報提供システムにおける公園検索処理の流れを示すフローチャート図である。
【図５】本発明の一実施の形態による公園情報提供システムで公園検索処理の流れを示すフローチャート図であり、図４に続く図である。
【図６】本発明の一実施の形態による公園情報提供システムによる公園検索結果一覧出力画面の例を示す図である。
【図７】本発明の一実施の形態による公園情報提供システムによる公園の詳細情報出力画面の例を示す図である。
【符号の説明】
１…利用者端末、２…情報装置、３…データベース、４…情報取得装置。
【図１】
2005011091.tif 000003
【図２】
2005011091.tif 000004
【図３】
2005011091.tif 000005
【図４】
2005011091.tif 000006
【図５】
2005011091.tif 000007
【図６】
2005011091.tif 000008
【図７】
2005011091.tif 000009